(57)【要約】【課題】カートリッジ本体と遮光板との間を適切に遮光及び防塵して感光性記録媒体の曝光を防止すると共に防塵することができる感光性記録媒体用カートリッジを提供する。【解決手段】感光性を有する記録ディスク４を収容するカートリッジ２は、記録ディスク４の一部を露呈させる内部開口１８，１９を有するカートリッジ本体１１と、該カートリッジ本体１１の外側に取り付けられ、内部開口１８，１９と対面する外部開口１４、１５を有する遮光板１２と、カートリッジ本体１１と遮光板１２との間にシャッタ１３とを備え、シャッタ１３の第１シャッタ板５５ａ，第２シャッタ板５５ｂの閉じる方向に移動する側の端縁５５ｆには、突出片５５ｈが形成され、端縁５５ｆが突き合わされる前記カートリッジ本体１１に形成された段部２５ｊ，２６ｊには、突出片５５ｈが挿入されるスリット２５ｋ，２６ｋが形成されている。【選択図】      図６
2007087447.tif 000002
【特許請求の範囲】
【請求項１】
ディスク状の感光性記録媒体を挟み込むようにして回転自在に収容するカートリッジ本体と、このカートリッジ本体に設けられて前記感光性記録媒体を外部に露呈させる開口と、この開口を閉じる閉じ位置と開放する開き位置との間で移動自在となるように該カートリッジ本体に取り付けられているシャッタとを備えたカートリッジであって、
前記シャッタの閉蓋方向先端側の端縁と、該端縁が突き合わされる前記カートリッジ本体側の端縁受け部とが凹凸を有する段部を形成し、前記シャッタを閉じた際に、前記端縁部及び前記受け部の段部における凹凸が互いに嵌合されることを特徴とする感光性記録媒体用カートリッジ。
【請求項２】
前記段部は、前記端縁部及び前記受け部のいずれか一方に凸部を有し、他方に前記凸部を両側から挟み込む凹部を有することを特徴とする請求項１記載の感光性記録媒体用カートリッジ。
【請求項３】
前記カートリッジ本体の外側に取り付けられ、このカートリッジ本体に形成された前記開口に対面して前記感光性記録媒体の中心と記録面とを外部に露呈させる開口孔を有する遮光板を備えたことを特徴とする請求項１または請求項２記載の感光性記録媒体用カートリッジ。
【請求項４】
前記感光性記録媒体は、ホログラム記録媒体であることを特徴とする請求項３記載の感光性記録媒体用カートリッジ。
【請求項５】
前記カートリッジ本体は、前記感光性記録媒体に対する内面と、前記シャッタに対する外面とに、表面粗さRa；５〜２０μｍのマット加工、またはシボ加工が施されていることを特徴とする請求項１から請求項４のいずれか１項記載の感光性記録媒体用カートリッジ。
【請求項６】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１から請求項５のいずれか１項記載の感光性記録媒体用カートリッジ。
【請求項７】
前記第１シェル及び第２シェルと、シャッタは、その成形に用いられるプラスチックに遮光性物質が０．０１〜５．００重量％添加されていることを特徴とする請求項１から請求項６のいずれか１項記載の感光性記録媒体用カートリッジ。
【請求項８】
前記第１シェル及び第２シェルと、シャッタは、その成形に用いられるプラスチックにカーボンブラックが０．０１〜２．００重量％添加されていることを特徴とする請求項１から請求項７のいずれか１項記載の感光性記録媒体用カートリッジ。
【請求項９】
前記第１シェル及び第２シェルと、シャッタは、その成形に用いられるプラスチックにシリコーン系滑剤が０．１〜５．０重量％添加されていることを特徴とする請求項１から請求項８のいずれか１項記載の感光性記録媒体用カートリッジ。
【発明の詳細な説明】
【技術分野】
【０００１】
本発明は、感光性記録媒体を収容する感光性記録媒体用カートリッジに関し、特に、感光性記録媒体としてホログラム記録媒体を収容する感光性記録媒体用のカートリッジのカートリッジ本体とシャッタとの間の遮光性能及び防塵性能の改良に関する。
【背景技術】
【０００２】
データをホログラムによって記録するホログラム記録媒体が発明されている。（例えば、特許文献１参照）このホログラム記録媒体は、円板形状の支持体上に感光性材料からなるホログラム記録層が層設された感光性記録媒体であり、データをレーザ光の干渉縞として多層記録することにより、従来普及している感光性記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている。（例えば特許文献２参照）
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。また、特許文献２に記載の発明では、ホログラム記録層の感応色を遮光する材質でカートリッジを形成し、ホログラム記録媒体を外部に露呈させる可動部分の合わせ目には、スポンジ状の遮光材を貼付している。
【０００４】
【特許文献１】特開２００４−０２９４７６号公報
【特許文献２】特開２００３−３１７４２２号公報
【発明の開示】
【発明が解決しようとする課題】
【０００５】
一般的に、ディスク状の感光性記録媒体を収容するカートリッジは、感光性記録媒体を回転自在な状態で挟み込むようにして収容する上側シェル及び下側シェルと、これら上側シェル及び下側シェルに感光性記録媒体の一部を外部に露呈させるように形成されている開口と、この開口を開閉するシャッタとを備えている構成が考えられる。しかし、シャッタが開口を開閉自在に構成するため、シャッタと上側シェル及び下側シェルとの間には実質的に僅かな隙間が形成され、この隙間から光や塵芥が進入し、ホログラム感光性記録媒体に悪影響を与えることが懸念される。
【０００６】
本発明は、上記事情を鑑みてなされたもので、その目的は、ホログラム感光性記録媒体等の感光性記録媒体の遮光及び防塵効果の高い感光性記録媒体用カートリッジを提供することにある。
【課題を解決するための手段】
【０００７】
上記目的を達成するために、本発明の感光性記録媒体用カートリッジは、ディスク状の感光性記録媒体を挟み込むようにして回転自在に収容するカートリッジ本体と、このカートリッジ本体に設けられて前記感光性記録媒体を外部に露呈させる開口と、この開口を閉じる閉じ位置と開放する開き位置との間で移動自在となるように該カートリッジ本体に取り付けられているシャッタとを備えたカートリッジであって、前記シャッタの閉蓋方向先端側の端縁と、該端縁が突き合わされる前記カートリッジ本体側の端縁受け部とが凹凸を有する段部を形成し、前記シャッタを閉じた際に、前記端縁部及び前記受け部の段部における凹凸が互いに嵌合されることを特徴とする。
【０００８】
本発明の感光性記録媒体用カートリッジは、カートリッジ本体の開口をシャッタで閉じた状態では、シャッタの端縁及びこの端縁が突き合わされるカートリッジ本体側の端縁受け部に形成された凹凸が、互いに凹凸嵌合される構造、いわゆるラビリンス構造となる。すると、光や塵芥はシャッタとカートリッジ本体との間の隙間を通ってカートリッジ本体内の感光性記録媒体に進入するのは困難になるため、感光性記録媒体を感光させず、かつ清浄な状態で収容することができる。
【０００９】
上記感光性記録媒体用カートリッジは、前記段部が、前記端縁部及び前記受け部のいずれか一方に凸部を有し、他方に前記凸部を両側から挟み込む凹部を有することが好ましい。こうすれば、カートリッジ本体の開口をシャッタで閉じた状態では、凸部の両側が固定されることで、段部の凹凸が横ずれを生じることなく嵌合され、外力によってシャッタとカートリッジ本体との間に隙間を生じさせることを防止できる。また、光や塵芥がシャッタとカートリッジ本体との間の隙間を通ってカートリッジ本体内の感光性記録媒体に進入するのが一層困難になり、感光性記録媒体を感光させず、かつ清浄な状態で収容することができる。
【００１０】
上記感光性記録媒体用カートリッジは、前記カートリッジ本体の外側に取り付けられ、このカートリッジ本体に形成された前記開口に対面して前記感光性記録媒体の中心と記録面とを外部に露呈させる開口孔を有する遮光板を備えたことが好ましい。こうすれば、カートリッジ本体内を遮光板によってさらに確実に遮光することができ、また、塵芥の進入をさらに確実に防止することができる。
【００１１】
上記感光性記録媒体用カートリッジは、前記感光性記録媒体が、ホログラム記録媒体であることが好ましい。つまり、カートリッジが遮光性に優れているので、ホログラム記録媒体からなる感光性記録媒体を収容する場合に好適である。
【００１２】
上記感光性記録媒体用カートリッジは、前記カートリッジ本体が、前記感光性記録媒体に対する内面と、前記シャッタに対する外面とに、表面粗さRa；５〜２０μｍのマット加工、またはシボ加工が施されていることが好ましい。こうすれば、カートリッジ内部や、カートリッジ本体とシャッタとの間に光が進入した場合でも、粗面によって光を拡散、減衰させることができるため、感光性感光性記録媒体に対する影響を軽減させることができる。
【００１３】
上記感光性記録媒体用カートリッジは、前記カートリッジ本体が、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることが好ましい。これにより、第１シェルと第２シェルとの溶接時に第１シェル及び第２シェルとその他の部品とが溶着してしまうのを防止することができる。
【００１４】
上記感光性記録媒体用カートリッジは、前記第１シェル及び第２シェルと、シャッタが、その成形に用いられるプラスチックに遮光性物質が０．０１〜５．００重量％添加されていることが好ましい。こうすれば、カートリッジ本体とシャッタとの光透過率を小さくすることができ、カートリッジの遮光性能を向上させることができる。
【００１５】
上記感光性記録媒体用カートリッジは、前記第１シェル及び第２シェルと、シャッタが、その成形に用いられるプラスチックにカーボンブラックが０．０１〜２．００重量％添加されていることが好ましい。こうすれば、カートリッジ本体とシャッタとの光透過率を小さくすることができ、カートリッジの遮光性能を向上させることができる。
【００１６】
上記感光性記録媒体用カートリッジは、前記第１シェル及び第２シェルと、シャッタが、その成形に用いられるプラスチックにシリコーン系滑剤が０．１〜５．０重量％添加されていることが好ましい。こうすれば、シャッタの動作が滑らかになるため、シャッタとカートリッジ本体との間の摩擦により削り屑等が発生するのを防止することができる。
【発明の効果】
【００１７】
本発明によれば、カートリッジ本体と遮光板との間を適切に遮光及び防塵して感光性記録媒体の曝光を防止すると共に防塵することができる感光性記録媒体用カートリッジを提供することができる。
【発明を実施するための最良の形態】
【００１８】
以下、本発明の実施形態を図面に基づいて詳しく説明する。図１〜図３は、本発明の実施形態であるホログラム記録媒体用カートリッジ（以下、カートリッジと省略する）の外観形状を示す斜視図である。図１は、カートリッジの一方の面を上方にした状態を示す斜視図、図２は反対側の面を上方にした状態を示す斜視図、図３はシャッタが開き位置にあり、ディスク収容部に円板形状のホログラム記録媒体（以下、記録ディスクと称する）が回転自在に収容された状態を示す斜視図である。
【００１９】
図１に示すように、カートリッジ２は、このカートリッジを取り扱うホログラム記録装置等に対し、矢印Ａ方向から装填される。カートリッジ２の装填方向先端の両側面には、カートリッジ２がホログラム記録装置等の各種機器に装填された際に、各機器に設けられた位置決め部材が挿入される位置決め溝７，８が設けられている。
【００２０】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。図２に示すように、カートリッジ２は、記録ディスク４の両面の記録面に記録を行なうために、Ａ面２ａまたはＢ面２ｂのいずれかを上にしてホログラム記録装置にセットされる。
【００２１】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、第２の開口（開口孔）である略長方形の外部開口１４、１５が形成されている。これらの外部開口１４，１５は、シャッタ１３が閉じ位置にあるときに、第１シャッタ板５５ａ，第２シャッタ板５５ｂによって閉じられている。
【００２２】
図３に示すように、シャッタ１３が矢印Ｂ方向の開き位置に向けて移動すると、外部開口１４，１５とともに、外部開口１４，１５に対面するようにカートリッジ本体１１に設けられている同形状の内部開口１８，１９が開放される。これにより、ディスク収容部３内に収容されている記録ディスク４の中心部４ａと、記録面４ｂとが外部に露呈される。
【００２３】
シャッタ１３は、内蔵するシャッタバネによって閉じ位置に付勢され、かつロック機構によって閉じ位置でロックされている。ロック機構の解除は、位置決め溝７内に突出されている第２のロック部材６４をカートリッジ２内に押し込み、その状態でカートリッジ２のＡ面２ａ及びＢ面２ｂの開口７３，７２から露呈されている第１のロック部材６３をカートリッジ装填方向の後端側にスライドさせる。このように、シャッタ１３は、２段階の操作を行なわなければ解除されないロック機構によって閉じ位置でロックされているため、シャッタ１３が不用意に開放されることはない。
【００２４】
図４は、カートリッジ２の構成を示す分解斜視図、図５（Ａ）はカートリッジの装填方向の断面図、（Ｂ）は（Ａ）の部分拡大図、（Ｃ）は（Ａ）の他の部分拡大図である。
【００２５】
図４に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００２６】
第１シェル２５と第２シェル２６は、例えば、遮光性物質と滑剤とが添加された同一または類似の熱可塑性プラスチックを用いて、射出成形により形成されている。カートリッジ２の端縁部の拡大した断面図である図５（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる内部開口１８が設けられている。
【００２７】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる内部開口１９が設けられている。
【００２８】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｄに当接する。ディスク収容部３は、これらの遮光壁３０、３１、３５と、第１シェル２５及び第２シェル２６の内面とによって形成される。ディスク収容部３の側壁は、３枚の遮光壁３０，３１，３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００２９】
また、第２シェル２６の第３の遮光壁３５の先端は、超音波溶着によって第１シェル２５の内面２５ｄに固着される。これにより、第１シェル２５と第２シェル２６とが強固に接合されるため、両者の合せ目に隙間が開くようなことはない。
【００３０】
図５（Ａ）にも示すように、第１シェル２５及び第２シェル２６の外面には、遮光板１２の形状より僅かに大きく内側にオフセットさせた遮光板取付面２５ａ，２６ａが形成されている。
【００３１】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。図４に示すように、遮光板１２は、アルミニウム合金の薄板に外部開口１４，１５と、シャッタ１３の移動範囲を得るための切欠４０とを形成し、断面が略コ字形状となるように屈曲させたものである。これにより、遮光板１２には、外部開口１４，１５をそれぞれ有する第１の板部１２ａ及び第２の板部１２ｂと、切欠４０を有し第１の板部１２ａと第２の板部１２ｂとを連設させる第３の板部１２ｃとが設けられている。
【００３２】
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにして、カートリッジ本体１１の遮光板取付面２５ａ，２６ａに取り付けられる。遮光板取付面２５ａ，２６ａは、遮光板１２の厚み以上の深さで内側にオフセットされているので、カートリッジ本体１１に取り付けられた遮光板１２の外面は、カートリッジ２の表面から突出することはない。
【００３３】
図４に示すように、遮光板１２の第１の板部１２ａ及び第２の板部１２ｂの外周には、略等間隔で小さな穴４９が形成されている。また、第１シェル２５及び第２シェル２６の遮光板取付面２５ａ，２６ａには、遮光板１２の穴４９に対応する位置に、遮光板１２の厚みよりも僅かに長いピン５０が一体に形成されている。
【００３４】
遮光板１２がカートリッジ本体１１の外側（遮光板取付面２５ａ，２６ａ）に取り付けられると、第１シェル２５及び第２シェル２６のピン５０が穴４９に挿入され、遮光板１２の表面から突出される。
【００３５】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００３６】
図４に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００３７】
シャッタ部材５５は、第１シェル２５の外面と遮光板１２の第１の板部１２ａとの間に挿入される第１シャッタ板５５ａと、第２シェル２６の外面と遮光板１２の第２の板部１２ｂとの間に挿入される第２シャッタ板５５ｂと、これら第１シャッタ板５５ａと第２シャッタ板５５ｂとを連設するとともに、スライド部材５６が取り付けられる連設部５５ｃとを備えている。
【００３８】
第１シェル２５と第２シェル２６との外面には、遮光板取付面２５ａ，２６ａの内側に、シャッタ部材５５の厚み以上の深さで内側にオフセットさせたシャッタ摺動面２５ｂ，２６ｂが形成されている。これにより、シャッタ１３はカートリッジ本体１１と遮光板１２との間をスムーズに移動することができるため、移動による切屑等の発生を抑えることができる。なお、シャッタ摺動面２５ｂ，２６ｂは、入射した光を拡散するために、粗面にしてもよい。同様に遮光板１２の内面、及びシャッタ１３の内面及び外面も粗面にしてもよい。
【００３９】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００４０】
図５（Ｂ）に示すように、スライド部材５６の側面には、長手方向に沿って溝５６ｃが形成されている。この溝５６ｃには、第１シェル２５及び第２シェル２６の装填方向先端側の内面に設けられた突条２５ｃ，２６ｃが挿入される。この溝５６ｃと突条２５ｃ，２６ｃとにより、スライド部材５６はカートリッジ本体１１から外れることなく、スライド移動することができるようになる。
【００４１】
スライド部材５６の他方の上面端部には、シャッタ１３を開く際に操作される被操作部５６ｄが一体に形成されている。この被操作部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、被操作部５６ｄとの干渉を避けるために設けられている（図３参照）。
【００４２】
シャッタ１３は、シャッタバネ５９により閉じ方向に付勢されている。シャッタバネ５９は、例えば、捩じりコイルバネからなり、その両端は、スライド部材５６と、第１シェル２５の内面とに係止されている。
【００４３】
図６及び図７は、第２シェル側から視たシャッタの一部の斜視図、図８は、シャッタの側縁端とカートリッジ本体の段部との突き合わせ部分の断面図である。
図６に示すように、シャッタ１３の第１シャッタ板５５ａ、第２シャッタ板５５ｂと第１シェル２５，第２シェル２６との突き合わせ箇所は、ラビリンス構造とされている。
【００４４】
シャッタ１３を構成する第１シャッタ板５５ａ，第２シャッタ板５５ｂには、第１シェル２５，第２シェル２６の段部２５ｊ，２６ｊに突き合わされる側端縁５５ｆにおける外面側を切り欠くことにより段部５５ｇが形成されており、これにより、第１シャッタ板５５ａ，第２シャッタ板５５ｂの側端縁における内面側が突出片５５ｈとされている。
また、第１シェル２５，第２シェル２６には、第１シャッタ板５５ａ，第２シャッタ板５５ｂの側端縁５５ｆが突き合わされる段部２５ｊ，２６ｊに沿ってスリット（端縁受け部）２５ｋ，２６ｋが形成されている。
【００４５】
そして、図７に示すように、シャッタバネ５９の付勢力によりシャッタ１３が閉ざされ、シャッタ１３の第１シャッタ板５５ａ，第２シャッタ板５５ｂの側端縁５５ｆが第１シェル２５，第２シェル２６の段部２５ｊ，２６ｊに突き合わされると、図８に示すように、第１シャッタ板５５ａ，第２シャッタ板５５ｂの側端縁５５ｆに形成された突出片５５ｈが、第１シェル２５，第２シェル２６の段部２５ｊ，２６ｊに形成されたスリット２５ｋ，２６ｋに入り込んで凹凸嵌合し、この突出片５５ｈとスリット２５ｋ，２６ｋとからラビリンス構造が構成される。
【００４６】
このように、シャッタ１３が閉ざされると、このシャッタ１３の側端縁５５ｆと第１シェル２５，第２シェル２６の段部２５ｊ，２６ｊとの突き合わせ箇所における確実な遮光性を確保することができ、また、塵芥の進入を防止することもできる。
また、シャッタ１３を閉じると、シャッタ１３の第１シャッタ板５５ａ，第２シャッタ板５５ｂの突出片５５ｈが第１シェル２５，第２シェル２６のスリット２５ｋ，２６ｋに入り込むことにより、可動するシャッタ１３が位置決めされ、これにより、可動側であるシャッタ１３の第１シャッタ板５５ａ，第２シャッタ板５５ｂのめくれなどの不具合がなくされる。具体的には、シャッタ１３は、閉じた状態にて、第１シャッタ板５５ａ，第２シャッタ板５５ｂが０．２ｍｍ以内の位置決め精度にて位置決めされる。
【００４７】
次にロック機構について、図９から図１１に基づいて説明する。図９はロック機構の構成を示す分解斜視図、図１０は図９に示すロック機構の動作説明図、図１１はシャッタを開放するための各種機構の一例を示す説明図である。
【００４８】
図９に示すように、スライド部材５６には、被操作部５６ｄに隣接して矩形孔形状の被ロック溝５６ｅが形成されている。図１０（Ａ）に示すように、スライド部材５６の長手方向における被ロック溝５６ｅの外側の側面は、カートリッジ２の装填方向Ｃ前方に向かうに従って次第にスライド部材５６の他端側（被操作部５６ｄ方向）に傾斜する係合傾斜面５６ｆが形成されている。また、スライド部材５６の図中右端面と下面との角部は、係合傾斜面５６ｆと略平行に面取りされて案内傾斜面５６ｇが形成されている。
【００４９】
図９に示すように、ロック機構２７は、シャッタ１３を閉じ位置でロックする第１のロック部材６３と、この第１のロック部材６３の移動をロックする第２のロック部材６４と、第２のロック部材６４を図中反時針方向、及び上方に向けて付勢するロックバネ６５とから構成されている。
【００５０】
第１のロック部材６３は、スライド部材５６に形成された被ロック溝５６ｅに係合してシャッタ１３を閉じ位置でロックするロック爪６３ａと、このロック爪６３ａと一体に設けられた矩形の摺動部６３ｂと、この摺動部６３ｂの第２シェル２６に対する面に形成された円柱形状のボス６３ｃと、このボス６３ｃと摺動部６３ｂとに貫通して形成された操作穴６３ｄとからなる。
【００５１】
ロック爪６３ａには、シャッタ１３が開き位置から閉じ位置に移動する際に、被ロック溝５６ｅとの係合を誘うための斜面６３ｅが、スライド部材５６の係合傾斜面５６ｆと略平行に形成されている。また、ロック爪６３ａの図中右側には、被ロック溝５６ｅの係合傾斜面５６ｆと略平行な傾斜面であるフック部６３ｆが形成されており、スライド部材５６がシャッタ１３の開く矢印Ｂ方向に移動すると、フック部６３ｆが係合傾斜面５６ｆと係合して該移動を確実に阻止するようになっている。
【００５２】
第２のロック部材６４は、第１のロック部材６３のボス６３ｃの外周に回動自在に挿入される穴６４ａを備えたリンク部６４ｂと、このリンク部６４ｂと一体に設けられ、ボス６３ｃを中心に回動する回動部６４ｃと、この回動部６４ｃの側面から垂直に立設された被押圧片６４ｄと、ロックバネ６５の一端が係止されるバネ係止部６４ｅとからなる。
【００５３】
第１のロック部材６３は、図１０（Ａ）に示すように、スライド部材５６の被ロック溝５６ｅの係合傾斜面５６ｆにロック爪６３ａのフック部６３ｆが係合する第１のロック位置と、同図（Ｃ）に示すように、下方にスライドして被ロック溝５６ｅとの係合を解除する第１の解除位置との間で移動される。
【００５４】
尚、図１０（Ａ）に示す第１のロック位置においては、ロック爪６３ａのフック部６３ｆの右端部と、被ロック溝５６ｅの係合傾斜面５６ｆの左端部とは、同一垂直線上、または水平方向に僅かな隙間をもって配置されている。換言すれば、この状態においては、フック部６３ｆと係合傾斜面５６ｆとは係合しておらず、第１のロック部材６３は下方に移動可能である。
【００５５】
しかし、スライド部材５６が僅かにカートリッジ本体１１の中心方向に移動すると、係合傾斜面５６ｆがフック部６３ｆと確実に係合してスライド部材５６の移動を阻止する。尚、スライド部材５６がカートリッジ本体１１の中心方向に移動すると、シャッタ１３も開く方向に移動するが、係合傾斜面５６ｆがフック部６３ｆと係合するまでの移動距離は、内部開口１８，１９周辺におけるカートリッジ本体１１とシャッタ１３とのオーバーラップ量に比較して遥かに少なく、内部開口１８，１９が開放されることはない。
【００５６】
第２のロック部材６４は、同図（Ａ）に示すように、ロックバネ６５に付勢されて垂直状態となり、被押圧片６４ｄを位置決め溝７内の切欠６７から突出させる第２のロック位置と、同図（Ｂ）に示すように、図中に時計方向に回動する第２の解除位置との間で移動される。
【００５７】
第１シェル２５の内面には、第１のロック部材６３の摺動部６３ｂが上下方向で摺動自在に挿入される矩形の摺動枠６９と、第２のロック部材６４の回動部６４ｃの一方の側面と底面とを受け止めて図中反時計方向への回動と下方へのスライドとを阻止する規制片７０と、ロックバネ６５の他端が係止されるボス７１とが形成されている。摺動枠６９には、第１のロック部材６３の操作穴６３ｄを第１シェル２５の外面から外部に露呈させる開口７２が形成されている。また、第２シェル２６にも同様に操作穴６３ｄを外部に露呈させる開口７３が、開口７２に対面する位置に形成されている。
【００５８】
図１０（Ａ）は、不使用時のカートリッジ２のロック機構２７の状態を示している。第２のロック部材６４は、ロックバネ６５により上方に付勢されているため、第１のロック部材６３のロック爪６３ａは、スライド部材５６の被ロック溝５６ｅ中に入り込んでいる。これにより、シャッタ１３を閉じ位置から開き位置にスライドさせようとすると、被ロック溝５６ｅの係合傾斜面５６ｆとロック爪６３ａのフック部６３ｆとが係合してシャッタ１３がスライドすることはない。係合傾斜面５６ｆとフック部６３ｆとの傾斜方向は、スライド部材５６がシャッタ１３を開く方向に移動すると更に食い込む形状となっているので、スライド部材５６の移動は確実に阻止される。
【００５９】
また、第１シェル２５及び第２シェル２６に設けられた開口７２，７３から、第１のロック部材６３の操作穴６３ｄに棒などを挿入してスライドさせようとしても、第２のロック部材６４の底面が規制片７０に当接するため、やはりロックは解除されない。
【００６０】
図１１に示すように、カートリッジ２を装填して使用されるホログラム記録装置内には、例えば、一対の位置決め部材７７ａ，７７ｂと、第１のロック部材６３を操作するロック解除機構７８と、シャッタ１３を開き位置と閉じ位置との間でスライドさせるシャッタスライド機構８０とが組み込まれている。一対の位置決め部材７７ａ，７７ｂは、装填されたカートリッジ２の両側面の位置決め溝７，８に係合して、カートリッジ２の挿入方向、及びこの挿入方向に直交する方向でカートリッジ２を位置決めする。
【００６１】
ロック解除機構７８は、カートリッジ２の開口７３から第１のロック部材６３の操作穴６３ｄに挿入される係合ピン７９ａと、この係合ピン７９ａを第１のロック部材６３のロック解除方向にスライドさせるスライド機構とを備えている。なお、記録ディスク４は両面への記録が可能であるため、カートリッジ２は、Ａ面２ａまたはＢ面２ｂのいずれもが上方に向けられて装置にセットされるが、装填面が異なると、ロック機構２７の位置が左右で反転する。そのため、ロック解除機構７８は、カートリッジ２が反転して装填された場合でも操作穴６３ｄに係合できるように、反転装填時用の係合ピン７９ｂを備えている。係合ピン７９ａ，７９ｂは、同時に矢印方向に移動される。なお、一方の係合ピンが操作穴６３ｄに係合している際に、他方の係合ピンが邪魔になるため、係合ピン７９ａ，７９ｂは、カートリッジ２に当接した時に引っ込むような構造にするとよい。
【００６２】
シャッタスライド機構８０は、スライド部材５６の被操作部５６ｄの外側に当接する操作片８０ａと、この操作片８０ａをシャッタ１３のスライド方向にスライドさせるスライド機構とを備えている。このシャッタスライド機構８０も、カートリッジ２の反転挿入に対応するためにもう一つの操作片８０ｂを備えており、操作片８０ａ，８０ｂは同時に矢印方向に移動される。
【００６３】
カートリッジ２が上記ホログラム記録装置に装填されると、図１０（Ｂ）に示すように、位置決め部材７７ａが位置決め溝７に挿入される。また、装置内に設けられたロック解除機構７８の係合ピン７９ａが第１のロック部材６３の操作穴６３ｄに挿入され、シャッタスライド機構８０の操作片８０ａが、スライド部材５６の被操作部５６ｄの外側に配置される。位置決め部材７７ａは、第２のロック部材６４の被押圧片６４ｄをロックバネ６５の付勢に抗して押庄する。第２のロック部材６４は、リンク部６４ｂを中心に時計方向に回動して、回動部６４ｃの底面が規制片７０から離れるため、第１のロック部材６３の下方へのスライドが可能となる。
【００６４】
同図（Ｃ）に示すように、ロック解除機構７８は、係合ピン７９ａを解除方向にスライドさせて、ロック爪６３ａを被ロック溝５６ｅから抜き去り、係合を解除する。その後、シャッタスライド機構８０が操作片８０ａを図中左方の開き方向に向けてスライドさせることで、シャッタ１３が開放される。このように、ロック機構２７は、第２のロック部材６４を回動させ、更に第１のロック部材６３をスライドさせなければ解除されないため、シャッタ１３が不用意に開放されるのを効果的に防止することができる。
【００６５】
上記第１シェル２５及び第２シェル２６を形成するプラスチックに添加する遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。このカーボンブラックの添加により遮光性を確保し、物理強度を向上させることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００６６】
上記滑剤として、例えば、シリコ一ン系滑剤を用いることができる。このシリコーン系滑剤の添加により摩擦低抗が低減するため、シャッタ１３の移動による削り屑の発生を少なくすることができる。また、輸送時の衝撃で記録ディスク４とカートリッジ本体１１の内壁とが接触した場合の削り屑の発生も低減することができる。更に、機器への挿入性等の取り扱い性が向上する、また、流動性が向上するため、成形時の混練性、射出成形性等の加工性等も向上する。
【００６７】
なお、シリコーン系滑剤の添加量としては、０.１〜３.０重量％が好ましい。０．１重量％以下では効果が少なく、３．０重量％以上では、流動性がよくなりすぎて混練、成形時にスクリューと樹脂とに滑りが生じて加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【００６８】
なお、シャッタ１３の第１シャッタ板５５ａ，第２シャッタ板５５ｂと第１シェル２５，第２シェル２６の段部２５ｊ，２６ｊとの突き合わせ部分におけるラビリンス構造としては、前述した構造に限定されない。
図１２は、他のラビリンス構造を示す断面図である。図１２に示すように、このラビリンス構造では、シャッタ１３の第１シャッタ板５５ａ，第２シャッタ板５５ｂの側端縁における端面に、断面Ｖ字状の突出片５５ｉが凸状に形成されている。また、第１シェル２５，第２シェル２６には、第１シャッタ板５５ａ，第２シャッタ板５５ｂの側端縁が突き合わされる段部２５ｊ，２６ｊに沿って断面Ｖ字状のスリット２５ｌ，２６ｌが形成されている。
つまり、このシャッタ１３の突出片（凸部）５５ｉと第１シェル２５，第２シェル２６のスリット（凹部）２５ｌ、２６ｌとからラビリンス構造が構成されている。
【００６９】
これにより、シャッタバネ５９の付勢力によりシャッタ１３が閉ざされると、シャッタ１３の第１シャッタ板５５ａ，第２シャッタ板５５ｂの側端縁が第１シェル２５，第２シェル２６の段部２５ｊ，２６ｊに突き合わされ、側端縁に形成されたＶ字状の突出片５５ｉが段部２５ｊ，２６ｊに形成されたＶ字状のスリット２５ｌ，２６ｌに入り込んで凹凸嵌合する。
【００７０】
これにより、シャッタ１３が閉ざされると、このシャッタ１３の第１シャッタ板５５ａ，第２シャッタ板５５ｂの側端縁５５ｆと第１シェル２５，第２シェル２６の段部２５ｊ，２６ｊとの突き合わせ箇所における確実な遮光性を確保することができ、また、塵芥の進入を防止することもできる。
【００７１】
また、シャッタ１３を閉じると、シャッタ１３の第１シャッタ板５５ａ，第２シャッタ板５５ｂの側端縁の突出片５５ｉが第１シェル２５，第２シェル２６のスリット２５ｌ，２６ｌに入り込むことにより、突出片５５ｉの両側が挟み込まれて可動するシャッタ１３が位置決めされ、可動側であるシャッタ１３の第１シャッタ板５５ａ，第２シャッタ板５５ｂのめくれなどの不具合がなくされる。
【００７２】
（第２実施形態）
本発明を適用した第２実施形態に係るホログラム記録媒体用カートリッジ（以下、カートリッジと省略する）について図面に基づいて詳しく説明する。図１３〜図１５は、第２実施形態のカートリッジの外観形状を示す斜視図であり、図１６（Ａ）（Ｂ）は、カートリッジ装填方向Ｃに直交する方向の要部断面図、図１７はシャッタの構成を示す分解斜視図である。
【００７３】
図１３に示すように、カートリッジ１０２は、内部に設けられた後述のディスク収容部１０３に、円板形状のホログラム記録媒体（以下、記録ディスクと称する）１０４を回転自在に収容している。記録ディスク１０４は、カートリッジ１０２に収容された状態で取り扱われる。
【００７４】
記録ディスク１０４は、中心部に穴をあけてディスク状にしたものであり、両面に感光性材料からなるホログラム記録層が設けられた感光性記録媒体である。このホログラム記録層には、例えば、緑色５３２nm〜青色４０５nmの波長域のレーザ光により、データがレーザ光の干渉縞として多層記録される。なお、記録ディスク１０４の穴部に補強材を付加してもよい。
【００７５】
図１４にも示すように、カートリッジ１０２のＡ面１０２ａ及びＢ面１０２ｂには、ディスク収容部１０３に収容した記録ディスク１０４を外部に露呈させる開口１０７，１０８が形成されている。これら開口１０７，１０８は、常態ではカートリッジ１０２の外側に移動自在に設けられたシャッタ１１０によって閉じられており、シャッタ１１０が矢印Ｄ方向の開き位置に向けて移動されることにより開放される。シャッタ１１０は、バネによって閉じ位置である矢印Ｅ方向に付勢されており、独立して動作するようにカートリッジ１０２の両面にそれぞれ設けられたロック機構１１１，１１２によって閉じ位置でロックされている。そのため、カートリッジ１０２に対する振動や衝撃等によってシャッタ１１０が移動し、開口１０７，１０８が不用意に開放されることはない。
【００７６】
カートリッジ１０２は、記録ディスク１０４にデータを記録する記録装置や、記録ディスク１０４からデータを読み出す再生装置に設けられたカートリッジスロットに対し、装填方向Ｃから挿入される。記録装置または再生装置に装填されたカートリッジ１０２は、両端に設けられた位置決め穴１１５によって位置決めされ、シャッタ１１０が開き位置に移動されて開口１０７，１０８が開放される。例えば、図１３に示す状態でカートリッジ１０２が装置に装填された場合には、Ｂ面１０２ｂの開口１０８から装置のピックアップ部がカートリッジ１０２内に挿入され、記録ディスク１０４の下面のホログラム記録層に対しデータが記録または再生される。また、図１４に示すように、カートリッジ１０２を裏返して装置に装填した場合には、Ａ面１０２ａに配置される開口１０７からピックアップ部が挿入され、図１３における記録ディスク１０４のＡ面１０２ａのホログラム記録層にデータが記録または再生される。
【００７７】
記録装置及び再生装置内には、カートリッジ１０２のロック機構１１１，１１２を解除するロック解除機構と、シャッタ１１０を閉じ位置と開き位置との間で移動させるシャッタ開閉機構とが組み込まれている。
【００７８】
そして、ロック機構１１１，１１２が解除された状態にて、シャッタ開閉機構がシャッタ１１０の側面に形成された穴１１０aに駆動用のピンを挿入し、かつ開き方向Ｄに移動させると、シャッタ１１０がスライド移動され、図１６（Ｂ）に示すように、カートリッジ１０２の両面の開口１０７，１０８が開放される。
【００７９】
図１６（Ａ）に示すように、カートリッジ１０２は、記録ディスク１０４を回転自在に収容するカートリッジ本体１２５と、このカートリッジ本体１２５の両面の開口１０７，１０８を外側から開閉するシャッタ１１０とを有する。
【００８０】
カートリッジ本体１２５は、略板状の第１シェル１３０と、この第１シェル１３０に接合される第２シェル１３１とから構成されている。第１シェル１３０と第２シェル１３１は、遮光性物質と滑剤とが添加された同一または類似の熱可塑性プラスチックによって形成されている。
【００８１】
上記遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００８２】
上記滑剤として、例えば、シリコーン系滑剤を用いることができる。このシリコーン系滑剤の添加により摩擦抵抗が低減するため、シャッタ１１０の移動による削り屑の発生を少なくすることができる。また、輸送時の衝撃で記録ディスク１０４とカートリッジ１０２の内壁とが接触した場合の削り屑の発生も低減することができる。さらに、機器への挿入性能の取り扱い性が向上する。また、流動性が向上するため、成形時の混練性、射出成形等の加工性も向上する。
【００８３】
なお、シリコーン系滑剤の添加量としては、０．１〜３．０重量％が好ましい。０．１重量％以下では効果が少なく、３．０重量％以上では、流動性がよくなりすぎて混練、成形時にスクリューと樹脂とに滑りが生じて、加工性が悪化し、製品表面にブリードアウトして記録ディスク１０４や使用者の手などに付着し、取り扱い性、外観性で不具合を生じることがあるためである。なお、共重合シリコーンを使用する場合には、上記不具合は生じにくくなるため、５．０重量％まで添加することが可能である。
【００８４】
第１シェル１３０の内面には、記録ディスク１０４が収容される略円形のディスク収容部１０３と、このディスク収容部１０３の周囲を取り囲むように突条状に設けられた第１の凹部１３４と、端縁全周に設けられた第２の凹部１３５とが設けられている。
【００８５】
また、第２シェル１３１の内面には、第１シェル１３０のディスク収容部１０３を構成する内面部１４１と、第１シェル１３０の第１の凹部１３４内に挿入される第１の凸部１４２と、第２の凹部１３５内に挿入される第２の凸部１４３と、位置決め穴１１５の周囲に取り囲むように設けられ、遮光壁（図示略）内に挿入される遮光壁（図示略）とが設けられている。
【００８６】
ディスク収容部１０３に記録ディスク１０４を乗せ、第２シェル１３１を第１シェル１３０の上面に重ね合わせると、第１の凸部１４２が第１の凹部１３４内に嵌合される。第１の凹部１３４内に勘合された第１の凸部１４２の先端１４２aが第１シェル１３０の内面１３０aに対面し、その先端１４３aが第１シェル１３０の内面に当接することにより、嵌合構造が形成される。
【００８７】
ディスク収容部１０３の外周は、ラビリンス状の遮光構造によって取り囲まれるため、第１シェル１３０及び第２シェル１３１の合わせ目から光や塵芥がディスク収容部１０３内に進入することはない。
【００８８】
第２シェル１３１の第２の凸部１４３は、超音波溶着によって第１シェル１３０の内面に固着される。これにより、第１シェル１３０と第２シェル１３１とが強固に接合されるため、両者の合わせ目に隙間が開くようなことはない。また、超音波溶着を行うと、プラスチック粉が周囲に飛散する場合があるが、第２の凹部１３５内で行うことにより飛散を最小限にし、記録ディスク１０４の汚損を防止することができる。
【００８９】
カートリッジ本体１２５にシャッタ１１０やロック機構１１１等を組み込んだ後で、第１シェル１３０と第２シェル１３１とを超音波溶着すると、シャッタ１１０等の他の部品も一緒に溶着されることがある。これを防止するためには、シャッタ１１０等の他の部品の材質には、第１シェル１３０及び第２シェル１３１とは異なる種類のプラスチックを用いるとよい。
【００９０】
第１シェル１３０と第２シェル１３１との超音波溶着による接合をより確実に行うには、第２の凸部１４３の先端に突起状のエネルギーダイレクタを設けるとよい。エネルギーダイレクタを設けて超音波溶着を行うと、超音波のエネルギーがエネルギーダイレクタに集中するため、第２の凸部１４３と第１シェル１３０とをより強固に溶着することができる。なお、第１シェル１３０と第２シェル１３１との間の超音波溶着は、第２の凸部１４３の全周で行ってもよいし、一定間隔でスポット的に行ってもよい。
【００９１】
シャッタ１１０は、第１シェル１３０及び第２シェル１３１とは種類の異なるプラスチックにより形成されている。このプラスチックには、第１シェル１３０及び第２シェル１３１の成形に用いたプラスチックと同様に、遮光性物質と滑剤とを添加してもよい。図１７に示すように、シャッタ１１０は、カートリッジ本体１２５の装填方向Ｃ側の側面に配置されるベース部１５０と、カートリッジ本体１２５の上下面を挟み込むようにベース部１５０に一体に形成される第１シャッタ板１５１及び第２シャッタ板１５２とからなる。ベース部１５０の内面には、シャッタバネ１５４の一端が掛けられるバネ掛け片１５６が一体に設けられている。シャッタバネ１５４の他端は、第１シェル１３０のバネ掛け片１３８に掛けられて切欠部１３７に収納され、シャッタ１１０を閉じ位置に向けて付勢する。
【００９２】
第１シェル１３０及び第２シェル１３１の各外面には、各シャッタ板１５１、１５２の閉じ方向Ｅの側端縁１５１a、１５２aを収納するスリット１６０、１６１と、装填方向Ｃの後端縁１５１ｂ、１５２ｂを収納するスリット１６２、１６３（図１３及び図１４参照）とがそれぞれ形成されている。また、各シャッタ板１５１，１５２には、開口１０７，１０８を開閉するようにスライド移動する第１遮光板部１５１ｃ、１５２ｃと、第１遮光板部１５１ｃ、１５２ｃのシャッタ１１０を開く方向に移動する側の先端に、垂直に立設された第２遮光板部１５１ｄ、１５２ｄと、第２遮光板部１５１ｄ、１５２ｄに対してシャッタ１１０が閉じる方向に垂直に立設された第３遮光板部１５１e、１５２eとが形成されている。各シャッタ板１５１，１５２の開き方向Ｄの側端縁は、開閉方向の断面で、略コ字形状の屈曲部として機能している。第１シェル１３０及び第２シェル１３１の外面にはシャッタ板１５１，１５２に対向するように突出部１６５，１６６が設けられ、シャッタ１１０が閉じ位置にあるときに、第１遮光板部１５１ｃ、１５２ｃと第３遮光板部１５１e，１５２eの間に挿入される。
【００９３】
図１６（Ａ）に示すように、シャッタ１１０の第１シャッタ板１５１、第２シャッタ板１５２と第１シェル１３０，第２シェル１３１との突き合わせ箇所は、ラビリンス構造とされている。
【００９４】
図１８に示すように、シャッタ１１０を構成する第１シャッタ板１５１，第２シャッタ板１５２には、第１シェル１３０，第２シェル１３１の段部１３０ｊ，１３１ｊに突き合わされる側端縁１５１ａ，１５２ａにおける外面側を切り欠くことにより段部１５１ｆ，１５２ｆが形成されており、これにより、第１シャッタ板１５１，第２シャッタ板１５２の側端縁１５１ａ，１５２ａにおける内面側が突出片１５１ｇ，１５２ｇとされている。
【００９５】
そして、シャッタバネ１５４の付勢力によりシャッタ１１０が閉ざされ、シャッタ１１０の第１シャッタ板１５１，第２シャッタ板１５２の側端縁１５１ａ，１５２ａが第１シェル１３０，第２シェル１３１の段部１３０ｊ，１３１ｊに突き合わされると、図１６（Ｂ）に示すように、第１シャッタ板１５１，第２シャッタ板１５２の側端縁１５１ａ，１５２ａに形成された突出片１５１ｇ，１５２ｇが、第１シェル１３０，第２シェル１３１の段部１３０ｊ，１３１ｊに形成されたスリット１６０，１６１に入り込み、この突出片１５１ｇ，１５２ｇとスリット１６０，１６１とからラビリンス構造が構成される。
【００９６】
このように、シャッタ１１０が閉じ位置にあるとき、各シャッタ板１５１，１５２の端縁１５１a、１５１ｂ及び１５２a、１５２ｂが各シェル１３０，１３１のスリット１６０，１６２及び１６１，１６３に挿入され、各シェル１３０，１３１に設けられた突出部１６５，１６６が各シャッタ板１５１，１５２の第１遮光板部１５１ｃ、１５２ｃと第３遮光板部１５１e，１５２eの間に入り込む。これにより、カートリッジ本体１２５とシャッタ１１０との間もラビリンス状の遮光構造によって取り囲まれるため、カートリッジ本体１２５とシャッタ１１０との隙間から光や塵芥が進入するのを効果的に防止することができる。
【００９７】
特に、シャッタ１１０が閉ざされると、このシャッタ１１０の側端縁１５１ａ，１５２ａと第１シェル１３０，第２シェル１３１の段部１３０ｊ，１３１ｊとの突き合わせ箇所における確実な遮光性を確保することができ、また、塵芥の進入を防止することもできる。
【００９８】
また、シャッタ１１０を閉じると、シャッタ１１０の第１シャッタ板１５１，第２シャッタ板１５２の突出片１５１ｇ，１５２ｇが第１シェル１３０，第２シェル１３１のスリット１６０，１６１に入り込むことにより、可動するシャッタ１１０が位置決めされ、これにより、可動側であるシャッタ１１０の第１シャッタ板１５１，第２シャッタ板１５２のめくれなどの不具合がなくされる。具体的には、シャッタ１１０は、閉じた状態にて、第１シャッタ板１５１，第２シャッタ板１５２が０．２ｍｍ以内の位置決め精度にて位置決めされる。
【００９９】
図１７に示すように、シャッタ１１０の各シャッタ板１５１，１５２の内面には、ガイド突起１５１ｈ、１５２ｈが形成されており、各シェル１３０，１３１の外面には、ガイド突起１５１ｈ、１５２ｈが挿入されるガイド溝１７０，１７１が形成されている。シャッタ１１０がカートリッジ本体１２５の外面上で移動する際に、これらガイド突起１５１ｈ、１５２ｈがガイド溝１７０、１７１内で移動する。これにより、シャッタ１１０はカートリッジ本体１２５から外れることなく、スムーズに移動することができるようになる。なお、第１シェル１３０及び第２シェル１３１とシャッタ１１０は、原材料のプラスチックに滑剤が添加されているため、シャッタ１１０の移動時の摩擦によって削り屑等が発生することはない。
【実施例】
【０１００】
次に、本発明の実施例について説明する。
第１シェル及び第２シェルの成形に用いる熱可塑性プラスチックには、PC，PBT，ABS，POM，PS，PP，HDPE，PA，PET，PPS，SAN(スチレンーアクリロニトリル共重合)、PMMA，PC等を用いることができる。また、超音波溶着による誤溶着防止のために、第１シェル及び第２シェル以外の部品については、上記熱可塑性プラスチックの中から、第１シェル及び第２シェルに使用したものと異なるものを選択するとよい。
【０１０１】
第１シェル及び第２シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光特性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが考えられる。
【０１０２】
（１）無機化合物
Ａ、酸化物…シリカ、ケイ藻土、アルミナ、酸化チタン、酸化鉄(鉄黒)、酸化亜鉛、酸化マグネシウム、酸化アンチモン、バリウムフェライト、ストロンチウムフェライト、酸化ベリリウム、軽石、軽石バルーン、アルミナ繊維等
Ｂ、水酸化物…水酸化アルミニウム、水酸化マグネシウム、塩基性炭酸マグネシウム等
Ｃ、炭酸塩…炭酸カルシウム、炭酸マグネシウム、ドロマイト、ド一ソナイト等
Ｄ、(亜)硫酸塩…硫酸カルシウム、硫酸バリウム、硫酸アンモニウム、亜硫酸カルシウム等
Ｅ、ケイ酸塩…タルク、クレー、マイカ、アスベスト、ガラス繊維、ガラスバルーン、ガラスビーズ、ケイ酸カルシウム、モンモリロナイト、ベントナイト等
Ｆ、炭素…カーボンブラック、グラファイト、炭素繊維、炭素中空球等
Ｇ、その他…鉄粉、銅粉、鉛粉、アルミウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
【０１０３】
（２）有機化合物
木粉(松、樫、ノコギリクズなど)、穀繊維(アーモンド、ビーナッツ、モミ穀など)、木綿、ジュート、紙細片、非木材繊維(ワラ、ケナフ、竹、エスパルト、パガス、モロヘイヤ、煙火など)、セロハン片、ナイロン繊維、ポリプロピレン繊維、デンプン(変性デンプン、表面処理デンプンも含む)、芳香族ポリアミド繊維など
【０１０４】
これらの遮光性物質の中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【０１０５】
遮光性物質としてカーボンブラックを使用する場合には、その添加量を０．０１〜２．００重量％とするのが好ましい。上述したように、遮光性及び物理強度のバランスがよいプラスチックを得るためである。
【０１０６】
カーボンブラックの原料による分類例をあげるとガスブラック、ファーネスブラック、チャンネルブラック、アントラセンブラック、アセチレンブラック、ケッチェンカーボンブラック、サーマルブラック、ランプブラック、油煙、松煙、アニマルブラック、ベジタブルブラック等がある。
【０１０７】
好ましいカーボンブラックの市販品の代表例としては、例えば、三菱化成製のカーボンブラック＃20(B)，＃30(B)，＃33(B)，＃40(B)，＃41(B)，＃44(B)，＃45(B)，＃50，＃100，＃600，＃950，＃1000，＃2200(B)，＃2400(B)，MA8，MA11，MA100等が挙げられる。また、電気化学製のデンカブラック、東海カーボンのシースト、旭カーボンの旭＃78、昭和キャボットのショウワブラック、新日鉄化学のニテロン、三菱化学のダイヤブラック等の各種グレードのものも用いることができる。
【０１０８】
海外の製品としては、例えば、キャボット社のB1ack  Pear1s  2，46，70，71、74，80，81，607等、Rega1300，330，400，660，991，SRF-S等、Vulcan3，6等、Ster1ing10，SO，V，S，FT-FF，MT-FF等が挙げられる。さらにアシュランドケミカル社のUnitedR，BB，15，102，3001，3004，3006，3007，3008，3009，3011，3012，XC-3016，XC-3017，3020等が挙げることができるが、本発明は、これらに限定されるものではない。
【０１０９】
また、第１シェル及び第２シェルとに添加する滑剤としては、シリコ一ン系滑剤、特に各種グレードのジメチルポリロキサンを使用することができ、東レ、ダウコーニング、シリコーン、GE東芝シリコーン、旭化成ワッカーシリコーン、信越化学等から市販されている各種グレードのものを使用することができる。なお、マスターバッチ、練り込み品のどちらでも使用可能である。なお、シリコーン系滑剤の添加量としては、０．１〜５．０重量％が好ましい。上述したように、摩擦抵抗と、製造適正、製品品質のバランスのよいプラスチックを得るためである。
【０１１０】
また、シェルに設ける粗面としては、表面粗さＲａ；５μｍ以下だと光拡散効果が薄く、２０μｍ以上だと記録ディスクとの接触時に傷を発生させるおそれがある。そのため、表面粗さＲａ;５〜２０μｍのマット加工、またはシボ加工が好ましい。
【０１１１】
遮光板１２及びシャッタ部材５５に使用するアルミニウム合金としては、A1-Mg系合金が好ましく、例えば、JIS合金番号5052、5056等が好ましい。また、より強度を高める場合には、JIS合金番号5083、5086等がより好ましい。更に、強度を高める場合には、A1-Mg-Si系合金(例えば、JIS合金番号6063，6061)や、Al一Cu系合金(例えば、JIS合金番号2014、2017)、A1-Zn-Mg系合金(例えば、JIS合金番号7003、7N01、7075、7050)等を用いてもよい。軽量化、加工のしやすさから、遮光板及びシャッタ部材の厚みは１．０ｍｍ以下が好ましく、より好ましくは０．１５〜０．５ｍｍである。
【０１１２】
また、遮光板及びシャッタ部材は、プラスチックで形成してもよい。使用するプラスチックとしては、例えばPOM等が適しており、上述した第１シェル等と同様に、遮光性物質や滑剤を添加するとよい。
【０１１３】
シャッタバネやロックバネには、バネ定数、耐久性、加工性などの観点から、オーステナイト系バネ用ステンレス鋼の使用が好ましく、例えば、SUS300番台を用いることができる。また、好ましい線径としては、シャッタバネは０．２〜０．７ｍｍ、ロックバネには０．１５〜０．４ｍｍが好ましい。
【０１１４】
また、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【０１１５】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカートリッジにも本発明を適用することができる。
【図面の簡単な説明】
【０１１６】
【図１】本発明の第１実施形態に係るカートリッジの外観形状を示す斜視図である。
【図２】カートリッジの反対側の面を示す外観斜視図である。
【図３】カートリッジのシャッタ開放状態を示す外観斜視図である。
【図４】カートリッジの構成を示す分解斜視図である。
【図５】カートリッジの装填方向の断面図であり、（Ａ）は全体図、（Ｂ）は要部拡大図、（Ｃ）は他の要部拡大図である。
【図６】第２シェル側から視たシャッタの一部の斜視図である。
【図７】第２シェル側から視たシャッタの一部の斜視図である。
【図８】シャッタの側縁端とカートリッジ本体の段部との突き合わせ部分の断面図である。
【図９】ロック機構の構成を示す分解斜視図である。
【図１０】図９に示すロック機構の動作説明図である。
【図１１】シャッタを開放するための各種機構の一例を示す説明図である。
【図１２】シャッタの側縁端とカートリッジ本体の段部との突き合わせ部分における他の構造を示す断面図である。
【図１３】第２実施形態のカートリッジの外観を示す斜視図である。
【図１４】カートリッジの裏面側の外観形状を示す斜視図である。
【図１５】カートリッジのシャッタ開放状態を示す外観斜視図である。
【図１６】カートリッジの装填方向に直交する方向の断面図である。
【図１７】シャッタの構成を示す分解斜視図である。
【図１８】シャッタの側縁端とカートリッジ本体の段部との突き合わせ部分の断面図である。
【符号の説明】
【０１１７】
２、１０２  カートリッジ
４、１０４  記録ディスク（感光性記録媒体）
１１、１２５  カートリッジ本体
１２  遮光板
１３、１１０  シャッタ
１４、１５  開口
１８、１９、１０７、１０８  開口
２５ｊ、２６ｊ、１３０ｊ、１３１ｊ  段部
２５ｋ、２６ｋ、１６０、１６１  スリット
５５ｆ、１５１ａ、１５１ｂ  端縁
５５ｈ、１５１ｇ、１５２ｇ  突出片
【図１】
2007087447.tif 000003
【図２】
2007087447.tif 000004
【図３】
2007087447.tif 000005
【図４】
2007087447.tif 000006
【図５】
2007087447.tif 000007
【図６】
2007087447.tif 000008
【図７】
2007087447.tif 000009
【図８】
2007087447.tif 000010
【図９】
2007087447.tif 000011
【図１０】
2007087447.tif 000012
【図１１】
2007087447.tif 000013
【図１２】
2007087447.tif 000014
【図１３】
2007087447.tif 000015
【図１４】
2007087447.tif 000016
【図１５】
2007087447.tif 000017
【図１６】
2007087447.tif 000018
【図１７】
2007087447.tif 000019
【図１８】
2007087447.tif 000020